(57)【特許請求の範囲】
【請求項１】
梁、桁、土台等の横架材間に所定間隔をなして立設される二つの柱における当該柱同士の対向し合う各面にそれぞれ溝を設け、所定形状の落し込み板を、当該板両端部が前記各溝に入る状態で、前記柱間に隙間無く複数段積み重ねて前記柱間の全体に配設してなる、木造建築物の耐力壁としての落し込み板壁構造において、
一方の壁面側で、前記各柱に沿って起立状態で配設され、全ての落し込み板の端部、及び前記柱の溝に隣接する側面にそれぞれ前記一方の壁面側から打込まれる複数の釘で釘着される二つの木製の縦枠部材と、
当該縦枠部材と同じ前記一方の壁面側で、前記柱上端に係合する上側横架材に沿って横向きに配設され、最上段の落し込み板、及び前記上側横架材の下面にそれぞれ前記一方の壁面側から打込まれる複数の釘で釘着される木製の上枠部材と、
前記縦枠部材と同じ前記一方の壁面側で、前記柱下端に係合する下側横架材に沿って横向きに配設され、最下段の落し込み板、及び前記下側横架材の上面にそれぞれ前記一方の壁面側から打込まれる複数の釘で釘着される木製の下枠部材と、
前記縦枠部材と同じ前記一方の壁面側で、前記柱間の一又は複数の所定箇所に柱と略平行な起立状態で配設され、全ての落し込み板に前記一方の壁面側から打込まれる複数の釘で釘着される木製の間柱部材とを備え、
同じ大きさとなる落し込み板の領域で、前記縦枠部材の前記落し込み板及び柱への取付け、並びに前記間柱部材の前記落し込み板への取付け、に係る釘の打込み箇所を、各落し込み板一枚分の範囲毎にそれぞれ同じ配置状態にすることを
特徴とする落し込み板壁構造。
【請求項２】
前記請求項１に記載の落し込み板壁構造において、
少なくとも縦枠部材では、前記落し込み板一枚分の範囲での各釘の打込み箇所が、縦方向に直線状の一列に並ばない配置とされることを
特徴とする落し込み板壁構造。
【請求項３】
梁、桁、土台等の横架材間に所定間隔をなして立設される二つの柱における当該柱同士の対向し合う各面にそれぞれ溝を設け、所定形状の落し込み板を、当該板両端部が前記各溝に入る状態で、前記柱間に隙間無く複数段積み重ねて前記柱間の全体に配設する、木造建築物の耐力壁としての落し込み板壁構築方法において、
一方の壁面側で、前記各柱に沿って二つの木製の縦枠部材をそれぞれ起立状態で配置し、全ての落し込み板の端部、及び前記柱の溝に隣接する側面にそれぞれ前記縦枠部材を前記一方の壁面側からの釘打ちで釘着し、且つ、
同じ大きさとなる落し込み板の領域では、前記縦枠部材の落し込み板及び柱への取付けに係る釘の打込み箇所を、各落し込み板一枚分の範囲毎にそれぞれ同じ配置とし、
前記縦枠部材と同じ前記一方の壁面側における前記柱間の一又は複数の所定箇所に、木製の間柱部材を柱と略平行な起立状態で配置し、全ての落し込み板にそれぞれ前記間柱部材を前記一方の壁面側からの釘打ちで釘着し、且つ、
同じ大きさとなる落し込み板の領域では、前記間柱部材の落し込み板への取付けに係る釘の打込み箇所を、各落し込み板一枚分の範囲毎にそれぞれ同じ配置とし、
前記縦枠部材と同じ前記一方の壁面側で、前記柱上端に係合する上側横架材に沿って木製の上枠部材を横向きに配置し、最上段の落し込み板、及び前記上側横架材の下面にそれぞれ前記上枠部材を前記一方の壁面側からの釘打ちで釘着し、
前記縦枠部材と同じ前記一方の壁面側で、前記柱下端に係合する下側横架材に沿って木製の下枠部材を横向きに配置し、最下段の落し込み板、及び前記下側横架材の上面にそれぞれ前記下枠部材を前記一方の壁面側からの釘打ちで釘着することを
特徴とする落し込み板壁構築方法。
【発明の詳細な説明】
【技術分野】
【０００１】
本発明は、二本の柱間に板を複数段積重ねて壁とする伝統的な落し込み板壁構造に関し、特に、簡略な補強材の取付けで壁の強度を高められる落し込み板壁構造、及びこの落し込み板壁の構築方法に関する。
【背景技術】
【０００２】
木造建築の壁構造としては、一般的な軸組工法で構築された軸組に壁材を取付けて得られる壁の他、柱や梁を用いない枠組壁工法（ツーバイフォー工法）により構築した壁等が従来から採用されている。この他、伝統的な壁構造として、２本の柱の間に小舞下地等を形成し、これに土を塗り込んだ土塗り壁や、格子材となる木材を所定間隔で互いに相欠き仕口により縦横に組んだ格子壁、また、柱の間に板を落し込んで積重ね、壁とする落し込み板壁等もある。
【０００３】
軸組に壁材を取付けた壁や枠組壁工法で構築した壁は、高度な施工技術を要さず、工期も短縮化でき、耐震性や耐風性にも優れた特性を有するものとすることができる一方、伝統的な土塗り壁等は、剛性が不足し、耐震性や耐風性にも問題があると考えられてきた。また、伝統的構造の壁の構築にあたっては、現場での作業が多く、構築に長期間を要し、且つ技能工の能力によって品質が左右される等の問題点があった。しかし、伝統的な構造の壁は、我国特有の高温多湿の環境下で、壁面内の結露や雨漏り等をもたらすこともなく、快適な住環境を提供できるという特長がある。
【０００４】
こうした伝統的な壁のうち、落し込み板壁は、近年、構築作業性を向上させたり、強度を高めたりするための工夫が種々提案されており、この落し込み板壁の構造の一例として、特許第２６９０２５９号公報や、特許第３１９４７２４号公報に記載されるものがある。
【０００５】
これら従来の落し込み板壁構造は、溝を設けた柱の間に、上下に凸条や溝を加工した落し込み板を上から落し込み、落し込み板端部と柱の溝を係合させたまま落し込み板を積重ね、柱間に壁を構築する基本的な構成はそのままに、柱の側方に溝に通じる開口を設けたり、ちょうど高さ方向の中間に位置する落し込み板を長めに形成して強固に柱に取付けたりすることで、作業能率の向上や強度増大を図っていた。そして、伝統的なものと同様、大量の木材を使用していることで壁面全体で木の質感を得られるものとなっている。
【０００６】
さらに近年、建築物における自然志向、アトピー対策など住環境に対する意識の高まり、あるいは間伐材、国産材の積極的な利用推進を図る目的から、多くの木材を使用する伝統的な落し込み板壁が見直されている。特に、耐力壁の使用規定である、建築基準法施行令第４６条第４項表１（八）項の規定に基づく昭和５６年建設省告示第１１００号において、一部の改正（平成１５年１２月９日）により、落し込み板壁を含む伝統的な壁構造についても壁倍率が規定され、構造耐力上有効な壁として評価されるようになったことから、こうした伝統的な構造の壁を木造建築物の耐力壁として有効に利用可能となり、落し込み板壁に対する注目も従来以上に集ることとなった。
【特許文献１】特許第２６９０２５９号公報
【特許文献２】特許第３１９４７２４号公報
【発明の開示】
【発明が解決しようとする課題】
【０００７】
従来の落し込み板壁の構造は、前記各特許文献に示される他、耐力壁としては前記改正後の建設省告示第１１００号の第１第７号に示されるものが典型的な例として挙げられるが、前記各特許文献に記載される従来壁構造の場合、柱に開口部分を設けたり、柱の中間長さ位置に新たに溝を設けたりする必要があるなど、各部材に対する加工が複雑となり、壁構築のコストが上昇するという課題を有していた。
【０００８】
また、前記建設省告示第１１００号の第１第７号に記載の落し込み壁構造では、耐力壁として水平方向の結合力を確保するために、各段の落し込み板同士の接合部分にだぼを配置する必要があるが、各落し込み板上下面にだぼ用の穴を空け、且つ落し込み板を柱間に落し込む際にだぼを挿し込んでいく作業は手間がかかるものであり、作業時間とコストの増大を招いていた。この他、だぼに代えて、又はだぼと併用して各落し込み板に通しボルトを通す場合もあるが、落し込み板全てに貫通する孔を穿設し、通しボルトを通すのにはやはり手間がかかってしまうという課題を有している。
【０００９】
さらに、前記建設省告示第１１００号の第１第７号に記載の構造条件を満たして落し込み板壁を製作した場合でも、得られる壁倍率は０．６と小さな値であり、より一層の構造耐力の向上が求められている。
【００１０】
本発明は前記課題を解消するためになされたもので、耐力壁としての構造耐力を高めつつ、壁構造を簡略化して製作の手間とコストを大幅に削減でき、様々な箇所に導入できる落し込み板壁構造、並びに落し込み板壁が容易に構築可能な落し込み板壁構築方法を提供することを目的とする。
【課題を解決するための手段】
【００１１】
本発明に係る落し込み板壁構造は、梁、桁、土台等の横架材間に所定間隔をなして立設される二つの柱における当該柱同士の対向し合う各面にそれぞれ溝を設け、所定形状の落し込み板を、当該板両端部が前記各溝に入る状態で、前記柱間に隙間無く複数段積み重ねて前記柱間の全体に配設してなる、木造建築物の耐力壁としての落し込み板壁構造において、一方の壁面側で、前記各柱に沿って起立状態で配設され、全ての落し込み板の端部、及び前記柱の溝に隣接する側面にそれぞれ前記一方の壁面側から打込まれる複数の釘で釘着される二つの木製の縦枠部材と、当該縦枠部材と同じ前記一方の壁面側で、前記柱上端に係合する上側横架材に沿って横向きに配設され、最上段の落し込み板、及び前記上側横架材の下面にそれぞれ前記一方の壁面側から打込まれる複数の釘で釘着される木製の上枠部材と、前記縦枠部材と同じ前記一方の壁面側で、前記柱下端に係合する下側横架材に沿って横向きに配設され、最下段の落し込み板、及び前記下側横架材の上面にそれぞれ前記一方の壁面側から打込まれる複数の釘で釘着される木製の下枠部材と、前記縦枠部材と同じ前記一方の壁面側で、前記柱間の一又は複数の所定箇所に柱と略平行な起立状態で配設され、全ての落し込み板に前記一方の壁面側から打込まれる複数の釘で釘着される木製の間柱部材とを備え、同じ大きさとなる落し込み板の領域で、前記縦枠部材の前記落し込み板及び柱への取付け、並びに前記間柱部材の前記落し込み板への取付け、に係る釘の打込み箇所を、各落し込み板一枚分の範囲毎にそれぞれ同じ配置状態にするものである。
【００１２】
このように本発明によれば、積重なった落し込み板と柱の溝との係合状態における強度を高める補強材として、木製の縦と上下の各枠部材及び間柱部材を落し込み板と柱、上側横架材、及び下側横架材とにそれぞれ釘打ちで取付け、壁をなす各部材同士を一体に連結すると共に、各枠部材及び間柱部材をだぼや通しボルトに代る水平方向の結合力を受持つ部材として用いることにより、釘打ちのみで各枠部材及び間柱部材を適切に取付けられ、釘打ち機等を用いた場合、極めて容易且つ短時間に取付けることができ、だぼや通しボルトを用いる場合のような落し込み板への穴開け加工や積重ね時の上下穴を揃える配慮等も一切不要となり、また、全ての補強材が壁表面に存在して施工結果の確認も容易に行えるなど、強度を確保しつつ壁構築に係るコストと手間を大きく軽減でき、天然素材である木の特性を最大限活かした健康的で安全な壁をより低コストで提供できる。また、各枠部材及び間柱部材による各落し込み板同士の連結並びに落し込み板と周囲の柱、上下横架材との連結で変形に対する強度（剛性）を確保し、耐力壁としての使用を可能にしつつ、仮に変形しても壁全体をバランスよく変形可能として破壊を防ぎ、且つ外力に対する適切な耐力を得ることができ、さらに加わっていた外力と反対方向に力を加えると変形が元に戻る復元性も有することで、地震等で異常な外力が加わった場合には、変形しても破壊せず力を吸収できる制震効果が得られる一方、外力がなくなると変形を元に戻せることで補修を必要最小限度とすることができ、耐久性、保守コストの点でも優れる。
加えて、釘の打込み箇所を各落し込み板において同様の配置とし、各落し込み板を同様な固定関係にすることにより、壁を変形させるような外力が加わった際に、各落し込み板に加わる力が均等となり、壁各部で均一な抵抗を生じさせて変形を小さくすると共に、変形しても各部でバランスよく変形して確実に元の形状に復元できる。
【００１３】
また、本発明に係る落し込み板壁構造は必要に応じて、少なくとも縦枠部材では、前記落し込み板一枚分の範囲での各釘の打込み箇所が、縦方向に直線状の一列に並ばない配置とされるものである。
【００１４】
このように本発明によれば、縦枠部材等における釘配置を工夫することで、部材の割れを防ぎながら必要な強度を確保できる。
【００１５】
また、本発明に係る落し込み板壁構築方法は、梁、桁、土台等の横架材間に所定間隔をなして立設される二つの柱における当該柱同士の対向し合う各面にそれぞれ溝を設け、所定形状の落し込み板を、当該板両端部が前記各溝に入る状態で、前記柱間に隙間無く複数段積み重ねて前記柱間の全体に配設する、木造建築物の耐力壁としての落し込み板壁構築方法において、一方の壁面側で、前記各柱に沿って二つの木製の縦枠部材をそれぞれ起立状態で配置し、全ての落し込み板の端部、及び前記柱の溝に隣接する側面にそれぞれ前記縦枠部材を前記一方の壁面側からの釘打ちで釘着し、且つ、同じ大きさとなる落し込み板の領域では、前記縦枠部材の落し込み板及び柱への取付けに係る釘の打込み箇所を、各落し込み板一枚分の範囲毎にそれぞれ同じ配置とし、前記縦枠部材と同じ前記一方の壁面側における前記柱間の一又は複数の所定箇所に、木製の間柱部材を柱と略平行な起立状態で配置し、全ての落し込み板にそれぞれ前記間柱部材を前記一方の壁面側からの釘打ちで釘着し、且つ、同じ大きさとなる落し込み板の領域では、前記間柱部材の落し込み板への取付けに係る釘の打込み箇所を、各落し込み板一枚分の範囲毎にそれぞれ同じ配置とし、前記縦枠部材と同じ前記一方の壁面側で、前記柱上端に係合する上側横架材に沿って木製の上枠部材を横向きに配置し、最上段の落し込み板、及び前記上側横架材の下面にそれぞれ前記上枠部材を前記一方の壁面側からの釘打ちで釘着し、前記縦枠部材と同じ前記一方の壁面側で、前記柱下端に係合する下側横架材に沿って木製の下枠部材を横向きに配置し、最下段の落し込み板、及び前記下側横架材の上面にそれぞれ前記下枠部材を前記一方の壁面側からの釘打ちで釘着するものである。
【００１６】
このように本発明によれば、積重なった落し込み板と柱の溝との係合状態における強度を高める補強材として、木製の縦と上下の各枠部材及び間柱部材を落し込み板と柱、上側横架材、及び下側横架材とにそれぞれ釘打ちで取付け、壁をなす各部材同士を一体に連結することにより、各枠部材及び間柱部材を釘打ちのみで適切に取付けられ、釘打ち機等を用いた場合、極めて容易且つ短時間に取付けることができ、だぼや通しボルトを用いる場合のような落し込み板への穴開け加工や積重ね時の上下穴を揃える配慮等も一切不要となり、強度を確保しつつ壁構築に係るコストと手間を大きく軽減でき、強度的に優れた落し込み板壁をより低コストで提供できる。さらに、各枠部材及び間柱部材をだぼや通しボルトに代る水平方向の結合力を受持つ部材として用い、各枠部材及び間柱部材による各落し込み板同士の連結並びに落し込み板と周囲の柱、上下横架材との連結で変形に対する強度（剛性）を確保することから、仮に変形しても壁全体をバランスよく変形可能として破壊を防ぎ、且つ加わっていた外力がなくなった後、逆向きに力を加えると変形が元に戻る復元性も有することとなり、地震等で異常な外力が加わった場合には、変形しても破壊せず力を吸収できる制震効果が得られる一方、外力がなくなると変形を元に戻せることで補修を必要最小限度とすることができ、耐久性、保守コストの点でも優れる。
【発明を実施するための最良の形態】
【００１７】
以下、本発明の一実施の形態に係る落し込み板壁構造を図１ないし図３に基づいて説明する。図１は本実施形態に係る落し込み板壁構造の正面図及びＡ−Ａ断面図、図２は図１のＢ−Ｂ断面中間省略拡大図、図３は本実施形態に係る落し込み板壁構造の背面図である。
【００１８】
前記各図に示すように、本実施の形態に係る落し込み板壁構造は、左右の柱２０と、柱２０の間に多段に積み重ねる落し込み板１０と、補強材となる縦枠部材３１と、上枠部材３２と、下枠部材３３と、間柱部材３４とを備える構成である。
【００１９】
前記落し込み板１０は、上面に実（さね）となる凸条部１１、下面にこの凸条部１１を係合させる溝１２をそれぞれ形成される構成である。なお、最上段の落し込み板１５は、より下側の落し込み板１０と異なり、上面側に凸条部を設けず、上端まで同じ厚みを有する形状とされてなる構成である。また、最下段の落し込み板１６は、上下方向の幅を他の落し込み板１０より大きく形成される。
【００２０】
落し込み板１０、１５、１６は、柱２０間に多段に積み重ねた状態で、それぞれの両端部を左右の柱２０の溝２１に係合させ、下段側の落し込み板の凸条部１１を上段側の落し込み板の溝１２に嵌合させることとなる。ただし、最上段の落し込み板１５のみ、上端部全体を上側横架材としての梁６０の溝６１に嵌合させる。
【００２１】
最上段と最下段の各落し込み板１５、１６は、その中間の落し込み板１０より上下方向の幅を大きくしているが、仮に、落し込み板として使用する板の幅を標準の落し込み板１０と全て同じにした場合、上下横架材間の間隔が落し込み板１０の幅の整数倍でない限り、横架材間に落し込み板１０を積重ねると落し込み板１０より狭い隙間が残り、その部分に幅狭の板を使用しなければならなくなる。横架材である土台５０や梁６０に接する落し込み板は、幅が大きいほど各枠部材等を取付ける際に釘３５をより多く打付けることができ、その分強度的にも有利になるため、上下横架材間の間隔が落し込み板１０の幅の整数倍とならない場合には、上下の落し込み板１５、１６の幅をより大きくする方向で適宜調整して用いて、より高い壁強度を得られるようにしている。
【００２２】
前記柱２０は、それぞれ側面に溝２１を形成されると共に、長手方向端部にほぞ２２、２３を形成されてなり、別途設けられる下側横架材としての土台５０上に略垂直に立設される構成である。なお、この柱２０の大きさと落し込み板１０の厚みとの関係は、柱２０の角寸法に対して落し込み板１０の厚みが約１／３程度、すなわち、例えば１２０ｍｍ角の柱２０に対し用いる落し込み板１０が４０ｍｍ厚となるのが、強度やコスト等のバランスの面で望ましい。前記土台５０は、アンカボルト等を介して布基礎（図示を省略）等に固定される公知の部材であり、詳細な説明を省略する。この土台５０の上面には、各柱２０を立設するためのほぞ穴５１が穿設され、各柱２０下端のほぞ２２をこのほぞ穴５１に嵌合させて柱３０が土台５０上に立設される。このほぞ２２とほぞ穴５１との嵌合部分には、抜け止め用に込栓又は釘２４が土台５０側面から打ち込まれる。
【００２３】
この柱２０上部には、通常の軸組同様に上側横架材としての梁６０が取付けられる。梁６０は、各柱２０上部間に横架される公知の部材であり、下面に最上段の落し込み板１５上部を嵌合させるための溝６１と、柱２０上端のほぞ２３を嵌合させるほぞ穴６２とを穿設される構成である。梁６０は、ほぞ穴６２に柱２０上端のほぞ２３を挿入された状態で、抜け止め用の込栓又は釘２５を側面から打ち込まれて柱２０と一体化される。この梁６０は、柱２０の間に落し込み板１０複数段を積み重ねて柱２０上端まで達し、最上段の落し込み板１５を積重ねた後、柱２０上に架設される。
【００２４】
前記縦枠部材３１、上枠部材３２、下枠部材３３、及び間柱部材３４は、いずれも方形又は矩形断面の木製棒状体であり、落し込み板１０や柱２０等の表面に密着可能となるよう各外面を平面状として形成されると共に、落し込み板１０や柱２０等に釘打ちにより取付可能となるようにその厚みや幅を適宜設定される構成である。
【００２５】
前記縦枠部材３１は、一方の壁面側で、各柱２０に沿う起立状態で二本配設され、全ての落し込み板１０、１５、１６の端部、及び柱２０の溝２１に隣接する側面にそれぞれ多数の釘３５を用いて釘着される構成である。
【００２６】
前記上枠部材３２は、縦枠部材３１と同じ壁面側で、柱２０上端に係合する梁６０に沿って横向きに配設され、最上段の落し込み板１５、及び梁６０の下面にそれぞれ多数の釘３５を用いて釘着される構成である。
【００２７】
前記下枠部材３３は、縦枠部材３１と同じ壁面側で、柱２０下端に係合する土台５０に沿って横向きに配設され、最下段の落し込み板１６、及び土台５０の上面にそれぞれ多数の釘３５を用いて釘着される構成である。
【００２８】
前記間柱部材３４は、縦枠部材３１と同じ壁面側で、柱２０間の一又は複数の所定箇所に柱２０と略平行な起立状態で配設され、全ての落し込み板１０、１５に多数の釘３５を用いて釘着される構成である。
【００２９】
これら縦枠部材３１、上枠部材３２、下枠部材３３、及び間柱部材３４は、いずれも落し込み板１０や柱２０への取付状態で柱２０や梁６０、土台５０から壁厚み方向へはみ出さない程度の厚み又は幅とされる。より好ましくは、各枠部材３１、３２、３３及び間柱部材３４が壁厚み方向に同じ厚み又は幅となる設定であり、この場合、各枠部材３１、３２、３３及び間柱部材３４の表面を覆うような板等を適切に取付け可能となる。
【００３０】
前記縦枠部材３１の釘打ちによる各落し込み板１０及び柱２０への取付け、並びに間柱部材３４の釘打ちによる各落し込み板１０への取付けにおいて、釘３５の打込み箇所の配置設定は、最上段と最下段の各落し込み板１５、１６を除いて、各落し込み板１０位置毎に共通した配置となっている。これにより、落し込み板壁を変形させるような外力が加わった際に、各落し込み板１０に加わる力を均等にすることができ、壁各部で均一な抵抗を生じさせて変形を小さくすると共に、変形してもバランスのとれた変形を実現させて確実に元の形状に復元可能としている。
【００３１】
また、縦枠部材３１の各落し込み板１０及び柱２０への取付けに係る釘３５の打込み箇所は、ちょうど落し込み板１０一つ分の範囲で、複数の打込み箇所が縦方向に一直線状配置とならないように隣同士で位置を互いに横にずらして設定されており、縦枠部材３１の釘の打付けに伴う割れを防いで必要な強度を確保する仕組みとなっている。この他、上枠部材３２の最上段の落し込み板１５への取付けに係る釘３５の打込み箇所や、下枠部材３３の最下段の落し込み板１６への取付けに係る釘３５の打込み箇所についても、複数の打込み箇所が横方向に一直線状配置とならないように隣同士で位置を互いに縦にずらして設定されており、各枠部材３２、３３の釘の打付けに伴う割れを防いで必要な強度を確保する仕組みとなっている。
【００３２】
なお、柱２０、土台５０、及び梁６０は、それぞれ天然木無垢材あるいはその継ぎ合せ材を通常用いるが、これに限らず、集成材や、木質材料又は非木質材料からなる合成木材等を用いる構成とすることもできる。
【００３３】
次に、前記構成に基づく落し込み板壁構造の構築過程について説明する。あらかじめ、柱２０のほぞ２２を土台５０のほぞ穴５１に挿入しつつ、土台５０上に多数の柱２０を溝２１が向い合う状態で組み合わせておく。
【００３４】
柱２０には、長手方向に連続させて溝２１が穿設されており、落し込み板１０の端部を柱２０上端の溝２１始端部に挿入係合させ、落し込み板１０を水平に保つようにしながら押し下げて、柱２０間へ落し込み、土台５０上に載置する。
【００３５】
引続き同様の作業を繰り返して、落し込み板１０の端部を柱２０の上端から溝２１に係合させつつ柱２０間に入れ、落し込み板１０を柱２０間に落し込んで落し込み板１０を以前に載置した落し込み板１０の上に順次積み重ねていく。落し込み板１０を柱２０上部まで積重ね、最後に最上段の落し込み板１５を載置したら、梁６０を柱２０上に架設する。梁６０の柱２０への取付けは、柱２０のほぞ２２を梁６０のほぞ穴６１に嵌合させ、込栓又は釘２５を側面から打ち込めばよい。
【００３６】
積み重ねられた落し込み板１０は、土台５０、柱２０、及び梁６０との間のいずれにも隙間を生じさせず、柱２０間に天然木材のみからなる壁を形成することができる。
【００３７】
この後、縦枠部材３１、間柱部材３４、上下枠部材３２、３３をそれぞれ釘打ちにより各部材に取付ける。縦枠部材３１、上枠部材３２、及び下枠部材３３の各部材に対する釘打ちは、落し込み板１０、１５への取付けとなる壁正面方向への打込みと、柱２０や土台５０、梁６０への取付けとなる壁外周方向への打込みとの、各々直交する二方向への打込み作業となる。一方、間柱部材３４に対する釘打ちは、各落し込み板１０、１５、１６への取付けとなる壁正面方向への打込みのみでよい。各部材を壁側に一体化すれば、構築作業完了となる。
【００３８】
こうして得られた落し込み板壁１は、一方の壁面側に各枠部材３１、３２、３３及び間柱部材３４があらわれた形となるが、表面となる他面側は、土台５０と梁６０との間に柱２０と落し込み板１０以外の部材はあらわれず（図３参照）、落し込み板壁としての美感が損なわれることもない。なお、各枠部材３１、３２、３３及び間柱部材３４があらわれた面側については、天然板等を貼付けて各枠部材３１、３２、３３や間柱部材３４を全て覆うようにしてもよい。
【００３９】
このように、本実施の形態に係る落し込み板壁構造では、積重なった落し込み板１０と柱２０の溝２１との係合状態における強度を高める補強材として、木製の縦と上下の各枠部材３１、３２、３３及び間柱部材３４を落し込み板１０と柱２０、土台５０、及び梁６０とにそれぞれ釘打ちで取付け、壁をなす各部材同士を一体に連結すると共に、各枠部材３１、３２、３３及び間柱部材３４をだぼや通しボルトに代る水平方向の結合力を受持つ部材として用いることから、釘打ちのみで各枠部材３１、３２、３３及び間柱部材３４を適切に取付けられ、だぼや通しボルトを用いる場合のような落し込み板１０への穴開け加工や積重ね時の上下穴を揃える配慮等も一切不要となり、強度を確保しつつ壁構築に係るコストと手間を大きく軽減でき、天然素材である木の特性を最大限活かした健康的で安全な壁をより低コストで提供できる。
【００４０】
また、本実施の形態に係る落し込み板壁構造では、各枠部材３１、３２、３３及び間柱部材３４による各落し込み板１０同士の連結並びに落し込み板１０と周囲の柱２０、土台５０や梁６０との連結で変形に対する強度を確保し、耐力壁としての使用を可能にしつつ、仮に変形しても壁全体をバランスよく変形可能として破壊を防ぎ、且つ外力に対する適切な耐力を得ることができ、加わっていた外力がなくなると変形が元に戻る復元性も有することとなり、地震等で異常な外力が加わった場合には、変形しても破壊せず力を吸収できる制震効果が得られる一方、外力がなくなると変形が元に戻ることで補修を必要最小限度とすることができ、耐久性、保守コストの点でも優れる。
【００４１】
なお、前記実施の形態に係る落し込み板壁構造において、間柱部材３４は、壁をなす二つの柱２０の中間に一つ配設する構成としているが、これに限らず、柱２０間に複数所定間隔で配設する構成とすることもでき、さらに壁強度を高められる。
【００４２】
また、前記実施の形態に係る落し込み板壁構造において、各落し込み板１０には上面にさねとなる凸条部１１を一体に形成する構成としているが、凸条を設ける本さね構造に限らず、上下両面に溝を形成して間に別部材を介在させる、いわゆる雇いざね構造にする構成とすることもできる。
【実施例】
【００４３】
以下、本発明に係る落し込み板壁構造を有する落し込み板壁を構築し、得られた落し込み板壁の性能評価試験を行って壁耐力等について評価した結果について説明する。
【００４４】
なお、性能評価試験は、建築基準法施行令第４６条第４項表１の(八)項の認定に係る性能評価として、建築基準法施行令第４６条第４項表１の(八)項の認定に係る性能評価を行う者としての指定を受けた指定性能評価機関が木造耐力壁及びその倍率の試験・評価業務方法書に則って通常行う試験方法により行うものである。よって、あらかじめ前記試験方法に対応する試験体を本発明に係る落し込み板壁構築方法により複数製作し、これらの試験体について前記試験を実施して、得られた結果に対する評価を行うこととなる。
【００４５】
落し込み板壁の試験体は、標準的な試験体の仕様を満たした軸組部分、すなわち、横架材としての土台と梁との間に所定間隔で立設される二つの柱の間に、落し込み板を隙間無く複数段積み重ね、補強材となる縦枠部材、間柱部材、上枠部材、及び下枠部材を、落し込み板と柱、土台、及び梁とにそれぞれ釘着して構築されたものである。全ての部材が杉材からなるこのような試験体を三体（Ｎｏ．１、２及び３）製作し、各試験体について前記試験を行う。
【００４６】
試験体の詳細形状は以下に説明する。
【００４７】
軸組寸法は、幅１８２０ｍｍ、高さ２７５０ｍｍ（試験装置取付け部分を除く）である。各部材の断面寸法は、柱：１２０×１２０ｍｍ、土台：１２０×１２０ｍｍ、梁：１２０×１８０ｍｍ、落し込み板：４０×１６０ｍｍ（ただし最上段４０×１７０ｍｍ、最下段４０×２１０ｍｍ）、縦枠部材、上枠部材、及び下枠部材：４０×４０ｍｍ、間柱部材：４０×９０ｍｍとしている。なお、各落し込み板には、上下端となる二面に互いに嵌合可能な凸条と溝をそれぞれ形成しており、落し込み板同士の上下の接合部分はいずれも本実はぎとなる。
【００４８】
各部材の含水率は、柱・土台：９．５％、梁：１３．５％、間柱：１２．６％、縦枠部材、上枠部材、下枠部材：１２．２％、落し込み板：１３．０％（なお、上記の数値は、いずれも３つの試験体から採取した試験片５つの平均値である）であり、いずれも含水率２０％以下である。
【００４９】
柱と横架材の仕口はほぞ（８０ｍｍ×３０ｍｍ、ほぞ長さ４５ｍｍ）とし、梁及び土台の側面からほぞに２本のＮ９０釘を打込んで固定する。
【００５０】
釘は、縦枠部材では、各落し込み板一つ分に対しＮ７５釘を各落し込み板下端位置から２０ｍｍ、８５ｍｍ、１４０ｍｍの位置にそれぞれ打込み、また、柱についてはＮ９０釘を各落し込み板一つ分の範囲に対し各落し込み板下端位置から４５ｍｍ、８０ｍｍ、１１５ｍｍの位置にそれぞれ打込む。ただし、最下段の落し込み板に対しては、Ｎ７５釘を落し込み板下端から１５ｍｍ、７０ｍｍ、１３５ｍｍ、１９０ｍｍの位置にそれぞれ打込み、柱についてはＮ９０釘を最下段の落し込み板の範囲に対し落し込み板下端位置から６０ｍｍ、９５ｍｍ、１３０ｍｍ、１６５ｍｍの位置にそれぞれ打込む。これら釘打ち箇所は、各落し込み板一つ分の範囲で縦に直線状に並ばないように配置する。
【００５１】
間柱部材では、落し込み板一つ分に対しＮ７５釘を各落し込み板下端位置から２０ｍｍ、８０ｍｍ、１４０ｍｍの各位置に横に２５ｍｍ間隔で３本ずつ計９本それぞれ打込む。ただし、最下段の落し込み板に対しては、Ｎ７５釘を落し込み板下端から１０ｍｍ、７０ｍｍ、１３０ｍｍ、１９０ｍｍの各位置に横に２５ｍｍ間隔で３本ずつ計１２本それぞれ打込む。
【００５２】
上枠部材では、落し込み板に対しＮ７５釘を横に５０ｍｍ間隔で１５本、梁に対してＮ９０釘を横に５０ｍｍ間隔で１５本、それぞれ打込む。これら釘打ち箇所は、横に一列の直線状に並ばないように一つおきに位置をずらしながら配置する。
【００５３】
下枠部材では、落し込み板に対しＮ７５釘を横に５０ｍｍ間隔で１５本、土台に対してＮ９０釘を横に５０ｍｍ間隔で１５本、それぞれ打込む。これら釘打ち箇所は、横に一列の直線状に並ばないように一つおきに位置をずらしながら配置する。
【００５４】
この落し込み板壁に対する試験としては、前記業務方法書に規定される通りの、タイロッド式の試験装置を用い、試験体の土台を試験装置定盤に固定し、梁端部に加力する方式で、試験体に繰返し加力を行って所定の変形角まで変形させ、荷重と各測定点における変位との関係や、試験中に試験体に生じた破壊の状況を測定、観察するものであり、各試験体毎に実施した。
【００５５】
具体的な試験方法は、タイロッド式の試験装置の場合、加力は正負交番繰り返し加力とし、繰り返しは、原則として真のせん断変形角が１／６００、１／４５０、１／３００、１／２００、１／１５０、１／１００、１／７５、１／５０ｒａｄの正負変形時に行う。また、試験は、同一段階で３回の繰り返し加力を行う。そして、最大荷重に達した後、原則として最大荷重の８０％の荷重に低下するまで加力するか、試験体の変形角が１／１５ｒａｄ以上に達するまで加力する。Ｎｏ．１〜３の各試験体について試験装置で加力試験を行い、変位等の測定により得られた荷重−せん断変形角曲線をＮｏ．１、２、３の順で各試験体毎に図４に示す。また、試験装置の限界である１／１０ｒａｄ変形時の試験体の変形状況を図５に示す。
【００５６】
各図より、試験装置の構造上これ以上は不可能な最大の変形角である１／１０ｒａｄに達する変形を繰返して行ったにも拘らず、Ｎｏ．１〜３の各試験体は破壊せず、変形が大きくなっても壊れない特性を有することがわかる。また、変形を繰返しても耐力を保持していることから、変形を起させようとする外力に対する抵抗を常に生じさせられる、すなわち、制震効果を有していることがわかる。
【００５７】
続いて、前記試験の結果から、前記業務方法書に規定の性能評価方法に準じた手順で壁倍率の算定を行う。建築基準法施行令第４６条第４項表１の(八)項の認定に係る性能評価では、得られた倍率から、当該構造がこの倍率を有する軸組と同等以上の耐力を有するものと評価される。
【００５８】
壁倍率を求める基礎となる短期基準せん断耐力（Ｐo）は、下記の（ａ）〜（ｄ）の各耐力の試験体平均値に、それぞれのばらつき係数を乗じて算出した値のうち最も小さい値とする。
（ａ）降伏耐力Ｐy
（ｂ）終局耐力Ｐuに（０．２／Ｄs）を乗じたもの
（ｃ）最大耐力Ｐmaxの２／３
（ｄ）特定変形時（真のせん断変形角１／１５０ｒａｄ）の耐力Ｐ150
なお、ばらつき係数は、母集団の分布形を正規分布とみなし、統計的処理に基づく信頼水準７５％の５０％下側許容限界をもとに次式により求める。
【００５９】
ばらつき係数＝１−ＣＶ・ｋ
ここで、ＣＶ：変動係数、ｋ：信頼水準７５％における５０％下側許容限界値を求めるための定数（試験体数ｎ＝３のときｋ＝０．４７１）
前記（ａ）〜（ｄ）の各耐力の値について、図４に示す荷重−せん断変形角曲線の終局加力を行った側の包絡線等を用いて、公知の手順により各値を求める。まず、試験体の変形角が１／１５（ｒａｄ）を超えても最大耐力に達しないことから、１／１５（ｒａｄ）時の荷重を最大耐力Ｐmaxとする。このＰmaxと包絡線から、降伏耐力Ｐy、降伏変形角γy、初期剛性Ｋが求まる。そして、包絡線の形状から、変形のより小さい方を選択して、終局変形角γu：１／１５（ｒａｄ）とする
さらに、包絡線から、完全弾塑性モデルの降伏耐力にあたる荷重を終局耐力Ｐuとし、そのときの変形角を完全弾塑性モデルの降伏点変形角γvとする。これより、塑性率μ＝γu／γvが得られる。また、この値から構造特性係数Ｄs＝１／(２μ−１）1/2が求められる。
【００６０】
こうして各試験体について、荷重−せん断変形角曲線の終局加力を行った側の包絡線から公知の手順により求めた、降伏耐力Ｐy、終局耐力Ｐu、最大耐力Ｐmax及びＤsを、表１に示す。
【００６１】
【表１】
0004757568.tif 000002
表１に示すように、短期基準せん断耐力(Ｐo)は、真のせん断変形角１／１５０ｒａｄ時の耐力（Ｐ150）の平均値にばらつき係数を乗じて算出した値が最も小さい値となったことから、この値とする。
【００６２】
Ｐo＝３．３０（ｋＮ）
さらに、この短期基準せん断耐力Ｐoを用いて、壁倍率を求めるために必要となる短期許容せん断耐力Ｐaを次式により算定する。
【００６３】
Ｐa＝Ｐo×α（ｋＮ）
ここで、α：耐力低下の要因を評価する係数で、耐力壁等構成材料の耐久性、使用環境の影響、施工性の影響、壁量計算の前提条件を満たさない場合の影響等を勘案して定める係数である。本性能評価ではα＝１．０とする。
【００６４】
よって、短期許容せん断耐力Ｐa＝３．３０×１．０＝３．３０（ｋＮ）
最後に、求めた短期許容せん断耐力を用いて、下式により壁倍率を算定する。算定した数値は０.５から５.０までの範囲内の数値とし、原則として０.１毎に端数を切り捨てることとする。
【００６５】
壁倍率＝Ｐa／（１．９６Ｌ）
ここで、１．９６：倍率＝１を算定するための数値（ｋＮ／ｍ）、すなわち、倍率１：１．９６（ｋＮ／ｍ）
Ｌ：試験体の壁長さ（ｍ）、本発明では１．８２（ｍ）
よって、
Ｐa／（１．９６Ｌ） ＝３．３０／（１．９６・１．８２）＝０．９３
より、壁倍率は０．９となる。
【００６６】
得られた壁倍率は、建設省告示第１１００号の第１第７号に記載の構造条件を満たして落し込み板壁を製作した場合に得られる壁倍率の０．６を大きく上回っており、本発明の落し込み板壁構造がより大きい構造耐力を得られる優れた構造であることがわかる。また、用いた試験体は全て、木材の中では比較的強度の小さい杉材で構成されていることから、他のより強度の高い木材を使用すれば、さらに良好な結果が得られることが見込める。
【００６７】
これらにより、本発明の落し込み板壁構造では、外力が加わっても一定の耐力を生じさせつつ変形し、他の壁構造に比べ大きな変形を許容でき破壊が起りにくいことに加え、十分な復元性を有して、外力が取去られた後で逆向きに力を加えると元の状態に容易に復帰して十分な耐力を発揮でき、また、構造が極めて簡略で製作も容易ながら、構造上得られる耐力は既存構造の落し込み板壁に比べて大きなものとすることができ、壁として極めて優れた性能を有していることが確認できた。
【図面の簡単な説明】
【００６８】
【図１】本発明の一実施形態に係る落し込み板壁構造の正面図及びＡ−Ａ断面図である。
【図２】図１のＢ−Ｂ断面中間省略拡大図である。
【図３】本発明の一実施形態に係る落し込み板壁構造の背面図である。
【図４】本発明に係る落し込み板壁構築方法により得られた落し込み板壁試験体の荷重−せん断変形角曲線のグラフである。
【図５】本発明に係る落し込み板壁構築方法により得られた落し込み板壁試験体における試験装置による最大変形付与時の変形状態正面図である。
【符号の説明】
【００６９】
１                  落し込み板壁
１０、１５、１６    落し込み板
１１                突条部
１２                溝
２０                柱
２１                溝
２２、２３          ほぞ
２４、２５          込栓（釘）
３１                縦枠部材
３２                上枠部材
３３                下枠部材
３４                間柱部材
３５                釘
５０                土台
５１                ほぞ穴
６０                梁
６１                溝
６２                ほぞ穴
【図１】
0004757568.tif 000003
【図２】
0004757568.tif 000004
【図３】
0004757568.tif 000005
【図４】
0004757568.tif 000006
【図５】
0004757568.tif 000007